(57)【特許請求の範囲】
【請求項１】
装置各部で発生した異常を検出する異常検出手段と、その異常検出手段により検出された異常を報知する報知手段とを備え、前記装置各部の状態を検査可能な保守モードと、前記装置各部を通常に使用可能な通常モードとを有すると共に、ファクシミリ機能、プリンタ機能、スキャナ機能、コピー機能、ビデオプリンタ機能などの各種の機能を有し、主装置としてのパーソナルコンピュータが接続されるインターフェイスを備えた多機能周辺装置において、
前記保守モードまたは通常モードの設定状態を判別するモード判別手段と、
そのモード判別手段により前記保守モードが設定されていると判別された場合には、前記報知手段は、前記異常検出手段により検出された異常のすべてについて報知を行うものであり、
前記モード判別手段により前記通常モードが設定されていると判別された場合には、前記異常検出手段により検出された異常のうち、カバーの閉鎖時に実行されるカバーオープン処理により回復し得る所定の異常について、前記報知手段による報知を禁止する報知禁止手段と、
その報知禁止手段により報知が禁止された異常について、その異常を回復させるためにユーザーにカバーの開閉動作を促しカバーオープン処理を実行させる異常回復手段とを備え、
その異常が前記異常回復手段によるカバーオープン処理の実行によっても解消されない場合には、前記報知手段はその解消されない異常を報知するものであること特徴とする多機能周辺装置。
【請求項２】
前記モード判別手段により前記通常モードが設定されていると判別された場合には、前記報知禁止手段により報知が禁止された異常のうち、ユーザーに無関係な所定の異常については、その異常状態を解除する異常状態解除手段を備えていることを特徴とする請求項１記載の多機能周辺装置。
【請求項３】
前記保守モードは、最初の電源投入から所定回数の電源投入までの間、各電源投入の度に設定されることを特徴とする請求項１または２に記載の多機能周辺装置。
【発明の詳細な説明】
【０００１】
【発明の属する技術分野】
本発明は、コンピュータ等に接続されて使用される多機能周辺装置に関し、特に、製品出荷後のユーザーのもとでの異常の多発を防止してサービスマンの業務負担を軽減することができる多機能周辺装置に関するものである。
【０００２】
【従来の技術】
近年、コンピュータの周辺装置としての機能、例えば、プリンタ機能やファクシミリ機能、スキャナ機能、或いは、コピー機能等の多くの機能を備えた多機能周辺装置が開発されている。このように多機能周辺装置は多くの機能を備えているので、製品の出荷前に非常に多くの検査が必要になっている。この検査を円滑に行わせるために、多機能周辺装置は、装置内部で発生したすべての異常を液晶（ＬＣＤ）ディスプレイに表示して、報知するように構成されている。よって、検査者は、製品出荷前の検査において、ＬＣＤディスプレイの表示を確認することにより、装置内部における異常の発生の有無や、発生した異常の種類などを容易に認識することができるのである。
【０００３】
【発明が解決しようとする課題】
しかしながら、装置内部で発生する異常の中には、メーカのサービスマンによらなければ回復できない重大な異常がある一方、簡単な操作で容易に回復できる軽微な異常や、ユーザーには悪影響を与えない放置可能な異常まで存在する。従来の多機能周辺装置では、これらの異常をすべてＬＣＤディスプレイに表示しているので、出荷先であるユーザーのもとで異常が多発してしまうという問題点があった。ユーザーは異常の発生する度に、メーカのサービスマンに連絡する。このためサービスマンは、ユーザー自身が容易に回復できる軽微な異常や、ユーザーには無関係な放置可能な異常の場合にまで対応しなければならず、サービスマンの業務負担が増大してしまうという問題点があった。
【０００４】
本発明は上述した問題点を解決するためになされたものであり、製品出荷後のユーザーのもとでの異常の多発を防止して、サービスマンの業務負担を軽減することができる多機能周辺装置を提供することを目的としている。
【０００５】
【課題を解決するための手段】
この目的を達成するために、請求項１記載の多機能周辺装置は、装置各部で発生した異常を検出する異常検出手段と、その異常検出手段により検出された異常を報知する報知手段とを備え、前記装置各部の状態を検査可能な保守モードと、前記装置各部を通常に使用可能な通常モードとを有すると共に、ファクシミリ機能、プリンタ機能、スキャナ機能、コピー機能、ビデオプリンタ機能などの各種の機能を有し、主装置としてのパーソナルコンピュータが接続されるインターフェイスを備えており、前記保守モードまたは通常モードの設定状態を判別するモード判別手段と、そのモード判別手段により前記保守モードが設定されていると判別された場合には、前記報知手段は、前記異常検出手段により検出された異常のすべてについて報知を行うものであり、前記モード判別手段により前記通常モードが設定されていると判別された場合には、前記異常検出手段により検出された異常のうち、カバーの閉鎖時に実行されるカバーオープン処理により回復し得る所定の異常について、前記報知手段による報知を禁止する報知禁止手段と、その報知禁止手段により報知が禁止された異常について、その異常を回復させるためにユーザーにカバーの開閉動作を促しカバーオープン処理を実行させる異常回復手段とを備え、その異常が前記異常回復手段によるカバーオープン処理の実行によっても解消されない場合には、前記報知手段はその解消されない異常を報知するものである。
【０００６】
この請求項１記載の多機能周辺装置によれば、装置各部で異常が発生すると、その異常は異常検出手段により検出される。モード判別手段により保守モードが設定されていると判別された場合には、報知手段により、異常検出手段により検出された異常のすべてが報知される。しかし、モード判別手段により通常モードが設定されていると判別された場合には、報知禁止手段が作動し、異常検出手段により検出された異常のうち、カバーの閉鎖時に実行されるカバーオープン処理により回復し得る所定の異常については、一旦、報知手段による報知が禁止される。そして、その報知禁止手段により報知が禁止された異常について、異常回復手段によって、その異常を回復させるためにユーザーにカバーの開閉動作を促し、カバーオープン処理を実行させる。その異常がカバーオープン処理の実行によっても解消されない場合には、報知手段により、その解消されない異常が報知される。
【０００７】
【０００８】
【０００９】
請求項２記載の多機能周辺装置は、請求項１記載の多機能周辺装置において、前記モード判別手段により前記通常モードが設定されていると判別された場合には、前記報知禁止手段により報知が禁止された異常のうち、ユーザーに無関係な所定の異常については、その異常状態を解除する異常状態解除手段を備えている。この請求項２記載の多機能周辺装置によれば、請求項１記載の多機能周辺装置と同様に作用する上、通常モードが設定されている場合には、ユーザーに無関係な異常が発生しても、その異常状態が解除され、事後の処理が続行される。このため些細な異常により装置の動作が中断されることがないので、装置が円滑に動作される。
【００１０】
【００１１】
請求項３記載の多機能周辺装置は、請求項１または２に記載の多機能周辺装置において、前記保守モードは、最初の電源投入から所定回数の電源投入までの間、各電源投入の度に設定されるものである。
【００１２】
【００１３】
【発明の実施の形態】
以下、本発明の好ましい実施例について、添付図面を参照して説明する。図１は、本発明の多機能周辺装置の一実施例である画像形成装置１の斜視図である。この画像形成装置１は、ファクシミリ機能、プリンタ機能、スキャナ機能、コピー機能、及び、ビデオプリンタ機能などの各種の機能を備えた多機能周辺装置である。
【００１４】
図１に示すように、画像形成装置１の装置本体２は箱状体に形成され、その上面前部には操作パネル３が配設されている。操作パネル３には、各種のボタンが設けられており、これらのボタンを押下することにより、製品の出荷前における各種の検査や、製品の出荷後における画像形成装置１の各種の操作が行われる。操作パネル３の後部には、液晶（ＬＣＤ）ディスプレイ６が設けられている。このＬＣＤディスプレイ６には、画像形成装置１の設定状態や各種の操作メッセージなどが必要に応じて表示される。装置内部でエラー（異常）が発生した場合には、そのエラーの説明などがＬＣＤディスプレイ６に表示される。
【００１５】
なお、画像形成装置１の各部を検査可能な保守モードが設定されている場合には、すべての種類のエラーについてエラー情報がＬＣＤディスプレイ６に表示される。その一方、保守モード以外のモード、例えば、画像形成装置１の各部を通常に使用可能な通常モードが設定されている場合には、特定のエラーが発生した場合にのみ（図３の第１エラー３３）、そのエラー情報がＬＣＤディスプレイ６に表示される。
【００１６】
ＬＣＤディスプレイ６の後部には、ファクシミリ機能時に相手ファクシミリ装置５１へ送信されるファクシミリ原稿や、コピー機能時に複写されるコピー原稿が、積層載置可能な原稿載置部４が設けられている。この原稿載置部４に載置された各種の原稿は、装置本体２内部へ搬送されて、スキャナ１９（図２参照）により、その原稿の表面に描かれた画像が読み取られる。画像の読み取られた原稿は、更に搬送され、操作パネル３の下方に設けられた原稿排出部９へ積層可能に排出される。
【００１７】
原稿載置部４の後部には、カセット挿嵌部５が設けられている。このカセット挿嵌部５には、複数枚の記録用紙を積層収納可能な用紙カセットが着脱可能に取り付けられる（図示せず）。カセット挿嵌部５に装着された用紙カセットから供給された記録用紙は、印刷に使用された後、原稿排出部９の下方に設けられた記録紙排出部１０から排出される。この記録紙排出部１０の右下方部に隣接してビデオ信号入力端子７が設けられている。このビデオ信号入力端子７に接続されたビデオカメラ等のビデオ信号（画像データ）は、画像形成装置１の内部へ取り込まれ、プリンタ２６等により印刷される。
【００１８】
図２は、画像形成装置１の電気的構成を示したブロック図である。画像形成装置１は、ファクシミリユニットＦＵおよびプリンタユニットＰＵの２つのユニットがインターフェイス３０により相互に接続されて形成されている。ファクシミリユニットＦＵは、ＣＰＵ１１、ＲＯＭ１２、ＲＡＭ１３、ＥＥＰＲＯＭ１４、ネットワーク・コントロール・ユニット（以下、「ＮＣＵ」と称する）１５、モデム１６、符号器１７、復号器１８、スキャナ１９、操作パネル３、ＬＣＤディスプレイ６、ビデオ信号入力端子７を備えており、これらはファクシミリ制御回路２０を介して相互に接続されている。
【００１９】
ＣＰＵ１１は、ＮＣＵ１５を介して送受信される各種の信号に基づいて、ファクシミリ制御回路２０に接続された各部を制御し、ファクシミリ動作などを実行するものである。ＲＯＭ１２は、この画像形成装置１で実行される制御プログラム１２ａや、図４から図６に図示されるフローチャートのプログラムなどを格納した書換不能なメモリである。このＲＯＭ１２には、後述するＳ１３の処理（図５）でＥＥＰＲＯＭ１４へ書き込まれるＩＤコード１２ｂも格納されている。ＲＡＭ１３は各種のデータを記憶するためのメモリであり、相手ファクシミリ装置５１やスキャナ１９などから受信したデータを記憶するページメモリ１３ａや、保守モードフラグ１３ｂなどを備えている。画像形成装置１は、保守モードフラグ１３ｂがオンされている場合に保守モードとなり、オフされている場合に通常モードとなる。
【００２０】
ＥＥＰＲＯＭ１４は書換可能な不揮発性のメモリであり、ＥＥＰＲＯＭ１４に記憶されたデータは、画像形成装置１の電源オフ後も保持される。ＥＥＰＲＯＭ１４には、ＩＤエリア１４ａと、保守モードカウンタ１４ｂとが設けられている。ＩＤエリア１４ａは、ＲＯＭ１２に記憶された１２桁のＩＤコード１２ｂが書き込まれるエリアであり、画像形成装置１の組立完了後の最初の電源投入時に、ＲＯＭ１２から読み出されたＩＤコード１２ｂが、このＩＤエリア１４ａへ書き込まれる。そして、ＩＤエリア１４ａにＩＤコード１２ｂが書き込まれているか否かに基づいて最初の電源投入か否かが判別される。
【００２１】
保守モードカウンタ１４ｂは保守モードの実行回数を記憶するカウンタである。保守モードカウンタ１４ｂには、画像形成装置１の組立完了後の最初の電源投入時に「３」が書き込まれ、その直後に「−１」されて「２」となり、以降は画像形成装置１の電源投入の度に「−１」ずつされる。この保守モードカウンタ１４ｂの値が「０」以外の状態で電源投入された場合に、保守モードが設定される。よって、画像形成装置１では、組立完了後の最初の電源投入を含めて３回の電源投入まで、電源投入の度に保守モードとなる。
【００２２】
なお、ＥＥＰＲＯＭ１４は、画像形成装置１の組立完了時に何も書き込まれておらず、０ＦＦｈ（１６進数）のデータで満たされた状態となっている。このため画像形成装置１の組立完了後の最初の電源投入時に、ＥＥＰＲＯＭ１４の初期値データがＲＯＭ１２から読み出されて、ＥＥＰＲＯＭ１４へ書き込まれる。
【００２３】
モデム１６は、ＮＣＵ１５を介して、画像データを変調及び復調し、相手ファクシミリ装置５１へ伝送すると共に、伝送制御用の各種手順信号を送受信するためのものである。符号器１７は、スキャナ１９により読み取られた原稿の画像データなどを符号化するものであり、復号器１８は、受信されたファクシミリデータなどを読み出して、これを復号化するものである。スキャナ１９は、原稿載置部４から装置内部へ挿入された原稿の画像を読み取るためのものである。この画像形成装置１のファクリミリユニットＦＵは、ＮＣＵ１５、電話回線５２を介して、相手ファクシミリ装置５１と接続されている。
【００２４】
プリンタユニットＰＵは、演算装置であるＣＰＵ２１と、そのＣＰＵ２１の動作プログラムを記憶するＲＯＭ２２と、ＣＰＵ２１の実行時に使用されるワークメモリや印刷用データを記憶するプリントメモリ等を備えたＲＡＭ２３と、主装置としてのパーソナルコンピュータ（以下「ＰＣ」と称す）５３が接続されるパソコン用インターフェイス２４と、印刷用の文字等のベクトルフォントを記憶するキャラクタジェネレータ（以下「ＣＧ」と称す）２５と、インクジェットプリンタ２６とを備えている。これらはプリンタ制御回路２７を介して相互に接続されている。なお、パソコン用インターフェイス２４は、例えば、セントロニクス規格に準拠したパラレルインターフェイスであり、画像形成装置１は、このインターフェイス２４に接続されたケーブル５４を介して、ＰＣ５３とデータの送受信が可能にされている。
【００２５】
図３は、エラーの区分と、保守モード時および通常モード時における各エラー発生時の対応を示した図である。図３に示すように、画像形成装置１は、００ｈから０ＦＦｈまでのエラーコードで示される２５６種類のエラーを備えている。これらは、メーカのサービスマンでなければ回復できない重大な第１エラー３１（００ｈ〜７Ｆｈ）と、カバーオープン処理等により容易に回復し得る軽微な第２エラー３２（８０ｈ〜０ＢＦｈ）と、ユーザーには無関係な第３エラー３３（０Ｃ０ｈ〜０ＦＦｈ）との３つの区分に区分けされている。
【００２６】
保守モード時においては、検査を容易に行わせるために、これらのいずれのエラーが発生した場合にも、そのエラーの内容がＬＣＤディスプレイ６に表示されるとともに、エラー発生後の処理が一時中断される。一方、通常モード時においては、第１エラー３１が発生した場合には、保守モード時と同様に、そのエラーの内容がＬＣＤディスプレイ６に表示され、エラー発生後の処理が中断されるが、第２エラー３２の場合には、カバーオープン処理によりエラーの回復が図られる。また、通常モード時にユーザーに無関係な第３エラー３３が発生した場合には、そのエラーの発生が無視される。よって、製品出荷後のユーザー先では、第１エラー３１については、その発生がＬＣＤディスプレイ６に表示され報知されるが、第２エラー３２についてエラーの回復が図られた場合や、第３エラー３３については、ユーザーに対してエラーの発生が報知されないので、ユーザー先でエラーが多発することを防止することができる。
【００２７】
次に、上記のように構成された画像形成装置１で行われる各処理について、図４から図６のフローチャートを参照して説明する。図４は、画像形成装置１のファクシミリユニットＦＵで実行される処理の概略フローチャートである。画像形成装置１の電源が投入されると、まず、イニシャライズ処理が実行され（Ｓ１）、そのイニシャライズ処理の後、電源がオフされるまで各処理が繰り返し実行される（Ｓ２）。
【００２８】
図５は、かかるイニシャライズ処理（Ｓ１）のフローチャートである。イニシャライズ処理では、始めにＲＡＭ１３のメモリクリアなどの各部の初期設定が行われる（Ｓ１１）。各部の初期設定後、ＣＰＵ１１は、今回の電源投入が製品組立後の最初の電源投入であるか否かを調べるために、ＥＥＰＲＯＭ１４のＩＤエリア１４ａにＩＤコードが書かれているかを調べる（Ｓ１２）。ＩＤエリア１４ａにＩＤコードが書かれていなければ（Ｓ１２：Ｎｏ）、最初の電源投入であるので、ＥＥＰＲＯＭ１４へＩＤコードとともに各初期値を書き込む（Ｓ１３）。このときＥＥＰＲＯＭ１４の保守モードカウンタ１４ｂには「３」をセットする（Ｓ１４）。その後、保守モードカウンタ１４ｂの値を直ぐに「−１」して「２」とし（Ｓ１５）、保守モードフラグ１３ｂをオンして（Ｓ１６）、イニシャライズ処理を終了する。保守モードフラグ１３ｂがオンされることにより、保守モードが設定された状態で図４の各処理（Ｓ２）が実行される。
【００２９】
Ｓ１２の処理において、ＥＥＰＲＯＭ１４のＩＤエリア１４ａを調べた結果、既にＩＤコードが書かれている場合には（Ｓ１２：Ｙｅｓ）、保守モードカウンタ１４ｂの値が「０」であるか否か調べられる（Ｓ２１）。保守モードカウンタ１４ｂの値が「０」でなければ（Ｓ２１：Ｎｏ）、今回の電源投入は製品組立後の４回目以上の電源投入ではないので、保守モードカウンタ１４ｂの値を「−１」した後に（Ｓ１５）、保守モードフラグ１３ｂをオンして（Ｓ１６）、保守モードを設定する。これにより、製品組立後の最初の電源投入から３回目の電源投入まで、単に画像形成装置１の電源を投入するだけで保守モードを設定することができる。
【００３０】
一方、Ｓ２１の処理において、保守モードカウンタ１４ｂの値を調べた結果、その値が「０」であれば（Ｓ２１：Ｙｅｓ）、今回の電源投入は製品組立後の４回目以上の電源投入であるので、保守モードフラグ１３ｂをオフして（Ｓ２２）、イニシャライズ処理を終了する。これにより製品組立後の４回目以上の電源投入によっては、通常モードが設定された状態で図４の各処理（Ｓ２）が実行される。工場で行われる製品出荷前の検査では電源投入が３回行われるので、出荷前の工場では保守モードが、出荷後のユーザー先では通常モードが、単に電源を投入するだけで設定される。
【００３１】
次に、図６を参照して、エラーチェック処理を説明する。このエラーチェック処理は、図４のフローチャートの各処理（Ｓ２）の中で適宜実行される処理である。エラーチェック処理では、まず、エラーの発生の有無が調べられる（Ｓ３１）。その結果、エラーが発生してなければ（Ｓ３１：Ｎｏ）、そのままこの処理が終了される。
【００３２】
一方、エラーが発生していれば（Ｓ３１：Ｙｅｓ）、保守モードフラグ１３ｂの状態により保守モード中であるか否かが判断される（Ｓ３２）。保守モード中、即ち、保守モードフラグ１３ｂがオンしていれば（Ｓ３２：Ｙｅｓ）、製品出荷前の工場における検査中であるので、すべてのエラーの発生を報知するために、エラー処理が実行される（Ｓ３９）。このエラー処理では、エラーの内容がＬＣＤディスプレイ６に表示されるとともに、処理が一時中断される。
【００３３】
Ｓ３２の処理において、保守モードフラグ１３ｂがオンしていなければ（Ｓ３２：Ｎｏ）、通常モードの状態である。即ち、製品組立後に既に４回以上の電源投入がなされているので、製品が工場から出荷され、ユーザー先で使用されている状態である。よって、この通常モードにおいてはエラーの多発を防止するために、発生したエラーの種類（区分）に応じて異なった対応がとられる。
【００３４】
発生したエラーが重大な第１エラー３１である場合には（Ｓ３３：Ｙｅｓ）、ユーザーにその第１エラー３１の発生を報知すべくエラー処理が実行される（Ｓ３９）。ユーザーは、このエラー処理の報知によって第１エラーの発生を認識し、サービスマンへの連絡などを行うのである。
【００３５】
第２エラー３２はカバーの閉鎖時に実行されるカバーオープン処理により回復され得るので、第２エラー３２が発生した場合には（Ｓ３３：Ｎｏ，Ｓ３４：Ｙｅｓ）、ＬＣＤディスプレイ６に「カバーオープン」の表示をして、ユーザーに対してカバーの開閉動作が促される（Ｓ３５）。ユーザーによりカバーの開閉動作が行われると（Ｓ３６：Ｙｅｓ）、カバーオープン処理が実行され、第２エラー３２の回復が図られる（Ｓ３７）。このカバーオープン処理の結果、第２エラー３２が解消した場合には（Ｓ３８：Ｙｅｓ）、エラーの報知を行うことなくエラーチェック処理を終了する。一方、カバーオープン処理によっても第２エラー３２が解消しない場合には（Ｓ３８：Ｎｏ）、エラー処理を実行して、第２エラー３２の発生を報知する（Ｓ３９）。なお、第２エラー３２の発生の報知は（Ｓ３９）、カバーオープン処理（Ｓ３７）を複数回実行しても第２エラー３２が回復できない場合にのみ行うようにしても良い。
【００３６】
発生したエラーが第３エラー３３である場合には（Ｓ３３：Ｎｏ，Ｓ３４：Ｎｏ）、ユーザーには悪影響を与えないので、そのままエラーチェック処理を終了する。なお、この際に、第３エラー３３の発生を解除した後に（例えば、第３エラーフラグがあれば、これをオフした後に）、エラーチェック処理を終了するようにしても良い。
【００３７】
このように本実施例の画像形成装置１によれば、ユーザー先で用いられる通常モードにおいては、第２エラー３２や第３エラー３３は、発生しても自動的に回復或いは無視されて、ユーザーに報知されないので、ユーザーのもとでのエラーの多発を防止することができる。
【００３８】
なお、請求項１記載の多機能周辺装置では、異常検出手段としてはＳ３１の処理が、報知手段としてはＳ３９の処理が、モード判別手段としてはＳ３２の処理が、報知禁止手段としてはＳ３４Ｎｏの分岐およびＳ３８Ｙｅｓの分岐が、それぞれ該当する。また、異常回復手段としてはＳ３７の処理が、請求項２記載の異常状態解除手段としてはＳ３４Ｎｏの分岐が、それぞれ該当する。
【００３９】
以上、実施例に基づき本発明を説明したが、本発明は上記実施例に何ら限定されるものではなく、本発明の趣旨を逸脱しない範囲内で種々の改良変形が可能であることは容易に推察できるものである。
【００４０】
例えば、本実施例におけるエラーの報知はＬＣＤディスプレイ６への表示により行われたが、これを警告ブザーなどにより報知するように構成しても良い。また、第２エラー３２の回復はカバーオープン処理以外の他の処理により行うようにしても良い。
【００４１】
【発明の効果】
請求項１記載の多機能周辺装置によれば、装置各部を通常に使用可能な通常モードが設定されている場合には、装置各部で発生した異常のうち所定の異常について、その報知が禁止される。製品の出荷後ユーザー先では通常モードが設定されるので、ユーザーのもとでの異常の多発を防止することができるという効果がある。また、ユーザーのもとでの異常の多発が防止されるので、その分、異常に対するサービスマンの対応回数が減少して、サービスマンの業務負担を軽減することができるという効果がある。
一方、保守モードにおいては、検出されたすべて異常が報知されるので、製品出荷前の検査を円滑に行うことができるという効果がある。
【００４２】
また、報知禁止手段により報知が禁止された異常のうち、カバーの閉鎖時に実行されるカバーオープン処理により回復し得る異常（簡単な操作で容易に回復できる軽微な異常）については、回復動作が実行され、その異常の解消を図ることができるという効果がある。しかも、かかる回復動作の実行によってもその異常が解消されない場合には、その解消されない異常について報知が行われるので、軽微な異常であっても回復動作により解消されない異常については、確実に報知することができるという効果がある。
【００４３】
請求項２記載の多機能周辺装置によれば、請求項１記載の多機能周辺装置の奏する効果に加え、例えば、通常モードにおいて影響を与えない異常、即ち、ユーザーに無関係な異常が発生した場合には、装置の動作を中断することなく、事後の処理が続行される。よって、装置を円滑に動作させることができるという効果がある。
【００４４】
【００４５】
請求項３記載の多機能周辺装置によれば、請求項１または２に記載の多機能周辺装置の奏する効果に加え、保守モードは、製品組立後の最初の電源投入から所定回数の電源投入までの間、電源投入の度に設定されるので、例えば、前記所定回数を、製品出荷前の検査における電源投入回数に対応させることにより、単なる電源投入によって、製品出荷前の検査時には保守モードを設定し、製品出荷後のユーザー先では通常モードを設定することが可能になる。よって、検査工程における保守モードの設定操作を簡略化することができるとともに、不用意にユーザー先で保守モードが設定されないようにできるという効果がある。
【００４６】
【図面の簡単な説明】
【図１】  本発明の一実施例である画像形成装置の斜視図である。
【図２】  上記画像形成装置の電気的構成を示したブロック図である。
【図３】  エラーの区分と保守モード時および通常モード時における各エラー発生時の対応を示した図である。
【図４】  電源投入によりファクシミリユニットで実行される処理のフローチャートである。
【図５】  イニシャライズ処理のフローチャートである。
【図６】  エラーチェック処理のフローチャートである。
【符号の説明】
１            画像形成装置（多機能周辺装置）
３            操作パネル
６            液晶（ＬＣＤ）ディスプレイ
１２ｂ        ＩＤコード
１３ｂ        保守モードフラグ
１４ａ        ＩＤエリア
１４ｂ        保守モードカウンタ
３１          第１エラー
３２          第２エラー
３３          第３エラー
ＦＵ          ファクシミリユニット
ＰＵ          プリンタユニット
【図１】
0003834933.tif 000002
【図２】
0003834933.tif 000003
【図３】
0003834933.tif 000004
【図４】
0003834933.tif 000005
【図５】
0003834933.tif 000006
【図６】
0003834933.tif 000007